【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
少なくとも１つのコンピューティングデバイス上で実行する処理回路と、
複数の顧客によって配置されたカスタマイズ製品用の複数の注文に関連したデータを蓄積するための非一時的データ蓄積領域と、
前記処理回路に連結され、前記処理回路で実行されるときに動作可能であって前記処理回路に以下のことを実行させる機械に実行可能な命令を記憶している非一時的コンピュータ可読媒体と
を備え、
前記複数の顧客のうちの１つの顧客に関連するコンピューティングシステムからネットワークを介して、１つ以上のカスタマイズ製品を製造するための入来注文を受信し、
前記入来注文は、前記１つ以上のカスタマイズ製品のそれぞれのためのカスタマイズ製品製造データと、顧客情報と、出荷情報とを含み、
前記入来注文は、前記顧客から受けた複数の入来注文の１つであり、
前記カスタマイズ製品製造データに基づいて、前記入来注文の前記１つ以上のカスタマイズ製品のそれぞれのための製造時間を決定し、
前記１つ以上のカスタマイズ製品のそれぞれのための前記製造時間に基づいて、前記入来注文の注文出荷日を決定し、
１つ以上の所定のリンク基準が満たされていると判定することに応じて、前記非一時的データ蓄積領域内で前記入来注文を出荷束にリンクし、
前記所定のリンク基準は、（１）前記注文出荷日が前記顧客の前記複数の入来注文のうち１つ以上の注文を含む前記出荷束用の束出荷日の所定の日数以内であること、（２）前記出荷束における製品の空き数が前記入来注文の製品数よりも多いこと、を含み、
前記出荷束は複数の出荷束の１つであり、各出荷束は前記複数の注文のうちの１つ以上の注文を含み、
前記入来注文の前記出荷束へのリンクは、束ＩＤを前記出荷束に対応する前記入来注文に割り当てることを含み、
前記入来注文の前記出荷束へのリンク後に１つ以上の所定の出荷基準が満たされていると判定することに応じて、出荷用の前記出荷束の準備において使用する、ユーザが確認するための束出荷目録を生成し、
前記束出荷目録は、前記束ＩＤに割り当てられた前記カスタマイズ製品のそれぞれに関連する前記データの一部から生成され、
前記束出荷目録は、前記カスタマイズ製品のそれぞれに関連する前記複数の入来注文のうちの個々の注文を参照しないものである、システム。
【請求項２】
前記命令は、前記処理回路によって実行されるとき、前記処理回路にさらに以下のことを実行させるものであり、
前記入来注文の受信に応じて、他の注文から前記入来注文を区別する注文ＩＤを割り当てる、請求項１に記載のシステム。
【請求項３】
前記束ＩＤの割り当ては、前記注文ＩＤから独立した固有の前記束ＩＤの決定を含む、請求項２に記載のシステム。
【請求項４】
前記命令は、前記処理回路によって実行されるとき、前記処理回路に以下のことをさらに実行させるものであり、
前記入来注文の受信に応じてリアルタイムに、対応するリンクされた前記出荷束が出荷のために解放されるまで前記入来注文の現在の状態を追跡し、前記現在の状態は、前記入来注文の製造工程における現在の工程を含む、請求項１に記載のシステム。
【請求項５】
前記入来注文の前記出荷束へのリンクは、前記入来注文の顧客名、住所、または割り当て出荷日の少なくとも１つと、前記入来注文の顧客名、住所、または割り当て出荷日の少なくとも１つとが一致すると特定することを含む、請求項１に記載のシステム。
【請求項６】
前記注文出荷日と出荷束用の前記束出荷日との間の前記所定の日数は、３日である、請求項１に記載のシステム。
【請求項７】
前記命令は、前記処理回路によって実行されるとき、前記処理回路に以下のことをさらに実行させるものであり、
前記出荷束に対応する前記入来注文への前記束ＩＤの割り当てに応じて、前記入来注文の出荷日が前記出荷束の出荷日の後であるときは、前記出荷束の前記出荷日を前記入来注文の前記出荷日と一致するように修正する、請求項１に記載のシステム。
【請求項８】
前記命令は、前記処理回路によって実行されるとき、前記処理回路に以下のことをさらに実行させるものであり、
前記出荷束に対応する前記入来注文への前記束ＩＤの割り当てに応じて、前記出荷束の出荷日が前記入来注文の出荷日の後であるときは、前記入来注文の前記出荷日を前記出荷束の前記出荷日と一致するように修正する、請求項１に記載のシステム。
【請求項９】
前記出荷束における前記製品の空き数は、前記出荷束において許容される製品の最大数から現在割り当てられている製品数を引いた数に一致する、請求項１に記載のシステム。
【請求項１０】
前記命令は、前記処理回路によって実行されるとき、前記処理回路に以下のことをさらに実行させるものであり、
前記入来注文を前記出荷束にリンクするための前記１つ以上の所定のリンク基準が満たされていないと判定することに応じて、新たな出荷束に関連した新たな束ＩＤを生成する、請求項１に記載のシステム。
【請求項１１】
前記新たな出荷束に関連した前記新たな束ＩＤの生成は、前記新たな束ＩＤを前記入来注文に割り当てることを含む、請求項１０に記載のシステム。
【請求項１２】
前記１つ以上の所定の出荷基準が満たされていると判定することは、前記出荷束に割り当てられている製品数が前記複数の出荷束のうちのそれぞれに対して許容される製品の最大数に一致していると判定することを含む、請求項１に記載のシステム。
【請求項１３】
前記１つ以上の所定の出荷基準が満たされていると判定することは、現在の時間が前記複数の出荷束のうちの１つ以上のための梱包時間に一致すると判定することを含む、請求項１に記載のシステム。
【請求項１４】
前記梱包時間は、配送業者の集荷時間に基づく、請求項１３に記載のシステム。
【請求項１５】
前記命令は、前記処理回路によって実行されるとき、前記処理回路に以下のことをさらに実行させるものであり、
梱包すべき前記複数の出荷束のうちの１つ以上が閾値よりも多いと判定することに応じて、前記複数の出荷束の１つ以上の梱包時間を修正する、請求項１３に記載のシステム。
【請求項１６】
前記束出荷目録の生成は、前記ネットワークを介して前記処理回路に通信可能に連結されたプリンタに前記束出荷目録を伝送することを含む、請求項１に記載のシステム。
【請求項１７】
命令が記憶された非一時的コンピュータ可読媒体であって、
前記命令は、処理回路によって実行されるとき、前記処理回路に以下のことを実行させるものであり、
複数の顧客のうちの１つの顧客に関連付けられたコンピューティングシステムからネットワークを介して、１つ以上のカスタマイズ製品を製造するための入来注文を受信し、
前記入来注文は、前記１つ以上のカスタマイズ製品のそれぞれのためのカスタマイズ製品製造データと、顧客情報と、出荷情報とを含み、
前記入来注文は、前記顧客から受けたカスタマイズ製品の複数の入来注文の１つであり、
前記カスタマイズ製品製造データに基づいて、前記入来注文の前記１つ以上のカスタマイズ製品のそれぞれのための製造時間を決定し、
前記１つ以上のカスタマイズ製品のそれぞれのための前記製造時間に基づいて、前記入来注文の注文出荷日を決定し、
１つ以上の所定のリンク基準が満たされていると判定することに応じて、非一時的データ蓄積領域内で前記入来注文を出荷束にリンクし、
前記所定のリンク基準は、（１）前記注文出荷日が前記顧客の前記複数の入来注文のうち１つ以上の注文を含む前記出荷束用の束出荷日の所定の日数以内であること、（２）前記出荷束における製品の空き数が前記入来注文の製品数よりも多いこと、を含み、
前記出荷束は複数の出荷束の１つであり、各出荷束は前記複数の注文のうちの１つ以上の注文を含み、
前記入来注文の前記出荷束へのリンクは、束ＩＤを前記出荷束に対応する前記入来注文に割り当てることを含み、
前記入来注文の前記出荷束へのリンク後に１つ以上の所定の出荷基準が満たされていると判定することに応じて、出荷用の前記出荷束の準備において使用する、ユーザが確認するための束出荷目録を生成し、
前記束出荷目録は、前記束ＩＤに割り当てられた前記カスタマイズ製品のそれぞれに関連付けられたデータの一部から生成され、
前記束出荷目録は、前記カスタマイズ製品のそれぞれに関連する前記複数の入来注文のうちの個々の注文を参照しないものである、非一時的コンピュータ可読媒体。
【請求項１８】
複数の注文のリアルタイム処理とリンクのための方法であって、
複数の顧客のうちの１つの顧客に関連付けられたコンピューティングシステムからネットワークを介して、１つ以上のカスタマイズ製品を製造するための入来注文を受信し、
前記入来注文は、１つ以上のカスタマイズ製品のそれぞれのためのカスタマイズ製品製造データと、顧客情報と、出荷情報とを含み、
前記入来注文は、前記顧客から受けたカスタマイズ製品の複数の入来注文の１つであり、
前記カスタマイズ製品製造データに基づいて処理回路によって、前記入来注文の前記１つ以上のカスタマイズ製品のそれぞれのための製造時間を決定し、
前記１つ以上のカスタマイズ製品のそれぞれのための前記製造時間に基づいて前記処理回路によって、前記入来注文の注文出荷日を決定し、
１つ以上の所定のリンク基準が満たされていると判定することに応じて、非一時的データ蓄積領域内で前記処理回路によって前記入来注文を出荷束にリンクし、
前記所定のリンク基準は、（１）前記注文出荷日が前記顧客の前記複数の入来注文のうち１つ以上の注文を含む前記出荷束用の束出荷日の所定の日数以内であること、（２）前記出荷束における製品の空き数が前記入来注文の製品数よりも多いこと、を含み、
前記出荷束は複数の出荷束の１つであり、各出荷束は前記複数の注文の１つ以上の注文を含み、
前記入来注文の前記出荷束へのリンクは、束ＩＤを前記出荷束に対応する前記入来注文に割り当てることを含み、
前記入来注文の前記出荷束へのリンク後に１つ以上の出荷基準が満たされていると判定することに応じて、前記処理回路によって、出荷用の前記出荷束の準備において使用する、ユーザが確認するための束出荷目録を生成し、
前記束出荷目録は、前記束ＩＤに割り当てられた前記カスタマイズ製品のそれぞれに関連付けられたデータの一部から生成され、
前記束出荷目録は、前記カスタマイズ製品のそれぞれに関連する前記複数の入来注文の個々の注文を参照しないものである、方法。
【請求項１９】
前記１つ以上のカスタマイズ製品は、矯正歯科装具である、請求項１に記載のシステム。
【請求項２０】
前記矯正歯科装具のそれぞれの前記カスタマイズ製品製造データは、個々の前記矯正歯科装具の寸法仕様を含む、請求項１９に記載のシステム。